(57)【要約】【課題】  この考案は安価で除去・消臭能力が優れ、長期的に使用可能な有害物質除去・消臭装置を開発・提供する事にある。【解決手段】  ホルムアルデヒド、トルエン、ＶＯＣ等の揮発性有害化学物質やダニや雑菌の温床となる埃、カビ、花粉及び生ゴミ臭、アンモニア臭、ペット臭等の生活臭、更に生活の中で蓄積されていく肥尿臭や加齢臭等の不快臭を吸着・除去・分解可能な矩形状に形成した濃縮炭ボードと、複数のＰＩＰ酸化チタン密積ボール等の光触媒と、濃縮炭ボードと光触媒を二分割収納及び取り外し可能な収納ケースから成り、且つ、使用時は用途に応じた最適場所に設置し、且つ、有害物質除去・消臭効力を半永久的に持続する為、定期的に濃縮炭ボードと光触媒を収納ケースから取り出し洗浄・乾燥して再使用するものである。【選択図】  図３
0003121352.tif 000002
【実用新案登録請求の範囲】
【請求項１】
学校・病院等の公共施設やホテルの客室等の室内や、車両等の車内に設置して環境を改善する装置であって、該装置はホルムアルデヒド、トルエン、ＶＯＣ等の揮発性有害化学物質やダニや雑菌の温床となる埃、カビ、花粉及び生ゴミ臭、アンモニア臭、ペット臭等の生活臭、更に生活の中で蓄積されていく肥尿臭や加齢臭等の不快臭を吸着・除去可能な矩形状に形成した濃縮炭ボード（１）と、吸着・分解可能な複数のＰＩＰ酸化チタン密積ボール等の光触媒（２）と、濃縮炭ボード（１）と光触媒（２）を二分割収納及び取り外し可能な複数の通気穴（Ｃａ）を有する収納ケース（Ｃ）から成り、且つ、使用時は用途に応じた最適場所に設置し、且つ、有害物質除去・消臭効力を半永久的に持続する為、定期的に濃縮炭ボード（１）と光触媒（２）を収納ケース（Ｃ）に入れたまま洗浄煮沸・乾燥して再使用する事を特徴とする家庭用及び車載用有害物質除去・消臭装置。
【考案の詳細な説明】
【技術分野】
【０００１】
この考案は、学校・病院等の公共施設やホテルの客室等の室内や、車両等の車内に設置する家庭用及び車載用有害物質除去・消臭装置に関するものである。
【背景技術】
【０００２】
従来、一般にシック除去装置に使用されている炭及び酸化チタンは、大半が使い捨て商品で、4〜５年放置しておくと炭は飽和点に達し、酸化チタンは表面に埃や油の層が付着して、最終的に炭は熱等により化学反応を発生し、蓄積された物質が戻り、ガスと成って空気中に飛散する。又、酸化チタンは、表面に蓄積された埃や油によりコーティング状態と成り、シック除去効果が発揮できなくなっていた。
【０００３】
しかし、だからといって、シック除去装置は頻繁に買い換えられる程安価な装置ではない為、安価で除去・消臭能力が優れ、長期的に使用可能な家庭用及び車載用有害物質除去・消臭装置の開発が望まれている。
【０００４】
これまでに、出願されている室内有害物質除去装置の特許文献を参考の為、紹介する。（特許文献１参照。）
【特許文献１】特開２００５−１２１２９４
【考案の開示】
【考案が解決しようとする課題】
【０００５】
そこで、上記課題を解決する為に、この考案は安価で除去・消臭能力が優れ、長期的に使用可能な家庭用及び車載用有害物質除去・消臭装置を開発・提供する事にある。
【課題を解決するための手段】
【０００６】
この課題を解決する為の手段として、ホルムアルデヒド、トルエン、ＶＯＣ等の揮発性有害化学物質やダニや雑菌の温床となる埃、カビ、花粉及び生ゴミ臭、アンモニア臭、ペット臭等の生活臭、更に生活の中で蓄積されていく肥尿臭や加齢臭等の不快臭を吸着・除去可能な矩形状に形成した濃縮炭ボードと、吸着・分解可能な複数のＰＩＰ酸化チタン密積ボール等の光触媒と、濃縮炭ボードと光触媒を二分割収納及び取り外し可能な複数の通気穴を有する収納ケースから成り、且つ、使用時は用途に応じた最適場所に設置し、且つ、有害物質除去・消臭効力を半永久的に持続する為、定期的に濃縮炭ボードと光触媒を収納ケースに入れたまま洗浄煮沸・乾燥して再使用するものである。
【考案の効果】
【０００７】
この考案の効果として、ホルムアルデヒド、トルエン、ＶＯＣ等の揮発性有害化学物質やダニや雑菌の温床となる埃、カビ、花粉及び生ゴミ臭、アンモニア臭、ペット臭等の生活臭、更に生活の中で蓄積されていく肥尿臭や加齢臭等の不快臭を吸着・除去可能な矩形状に形成した濃縮炭ボードと、吸着・分解可能な複数のＰＩＰ酸化チタン密積ボール等の光触媒と、濃縮炭ボードと光触媒を二分割収納及び取り外し可能な複数の通気穴を有する収納ケースから成り、且つ、使用時は用途に応じた最適場所に設置し、且つ、有害物質除去・消臭効力を半永久的に持続する為、定期的に濃縮炭ボードと光触媒を収納ケースに入れたまま洗浄煮沸・乾燥して再使用する事で、安価で除去・消臭能力が優れ、長期的に使用可能である。
【０００８】
又、この考案の有害物質除去・消臭装置を設置することで、マイナスイオン効果により、何時でも快適な室内環境を保ち、免疫力の向上及びアトピーや喘息やアレルギー等の環境・健康改善に大いに効果を発揮する。
【０００９】
又、ＰＩＰ酸化チタン密積ボールの高い集積率が優れた光触媒効果を実現し、又、紫外線以外の電磁波エネルギーにも反応する為、暗闇部でも優れた浄化効果を発揮する等、極めて有益なる効果を奏するものである。
【考案を実施するための最良の形態】
【００１０】
この考案の最良の形態として、用途や使用する環境・場所に適合した設置場所を選定し、適応能力のある家庭用及び車載用有害物質除去・消臭装置を使用し、定期的、且つ、丁寧に洗浄・乾燥して使用する事が重要である。
【実施例１】
【００１１】
そこで、この考案の一実施例を図１〜図４に基づいて詳述すると、学校・病院等の公共施設やホテルの客室等の室内に設置して環境を改善する装置であって、該装置はホルムアルデヒド、トルエン、ＶＯＣ等の揮発性有害化学物質やダニや雑菌の温床となる埃、カビ、花粉及び生ゴミ臭、アンモニア臭、ペット臭等の生活臭、更に生活の中で蓄積されていく肥尿臭や加齢臭等の不快臭を吸着・除去可能な矩形状に形成した濃縮炭ボード（１）と、吸着・分解可能な複数のＰＩＰ酸化チタン密積ボール等の光触媒（２）と、濃縮炭ボード（１）と光触媒（２）を二分割収納及び取り外し可能な複数の通気穴（Ｃａ）を有する収納ケース（Ｃ）から成り、且つ、使用時は用途に応じた最適場所に設置し、且つ、有害物質除去・消臭効力を半永久的に持続する為、定期的に濃縮炭ボード（１）と光触媒（２）を収納ケース（Ｃ）に入れたまま洗浄煮沸・乾燥して再使用する事を特徴とする家庭用及び車載用有害物質除去・消臭装置から構成される。
【００１２】
次に、この考案の家庭用有害物質除去・消臭装置（家庭用シックノン）の寸法形状について説明すると、収納ケースの大きさは縦寸法が１２５ｍｍで、横寸法が２５０ｍｍで、厚さ寸法が約２０ｍｍ程度のコンパクトサイズに形成され、且つ、収納ケースの中央を境に二分割され、左側に濃縮炭ボード（１）、右側にＰＩＰ酸化チタン密積ボール等の光触媒（２）が収納されている。
【００１３】
又、収納ケースに収納された濃縮炭ボード（１）及びＰＩＰ酸化チタン密積ボール等の光触媒（２）は、定期的にケース内から取り出して洗浄・乾燥出来る様に成っている。
【００１４】
そして、濃縮炭ボード（１）の寸法形状は、縦寸法が１２０ｍｍで、横寸法が１２０ｍｍで、板厚寸法が７．５〜８．０ｍｍの矩形状に形成されている。
【００１５】
又、ＰＩＰ酸化チタン密積ボール（２）は外径寸法がφ４．０ｍｍで、収納ケース（Ｃ）の右半分ほぼ満杯に収納されている。又、ＰＩＰ酸化チタン密積ボール（２）の表面は図２（Ｂ）に示す様に複数の球状粒（２ａ）が密着している為、高性能な光触媒効果を発揮する。
【００１６】
又、濃縮炭ボード（１）及びＰＩＰ酸化チタン密積ボール（２）の洗浄時期及び洗浄方法について説明すると、まず、洗浄する時期は使用条件や環境によって若干のバラツキはあるが、２〜3年に一度、収納ケースから濃縮炭ボード（１）及びＰＩＰ酸化チタン密積ボール（２）をケースに入れたまま、熱湯又はお湯を使用して蓄積した有害物質・埃・油等を洗浄煮沸し、１０分〜１５分間入念に天日干しするか、又は、乾燥させて再使用すれば、有害物質の除去・消臭効果が復活する。
【００１７】
又、上記家庭用有害物質除去・消臭装置の施工・設置場所は、部屋の壁等に立て掛けて使用すれば美観も良く効果的で、取り外す時も簡単に作業が出来る。
【００１８】
次に、この考案の効果を表わす具体例を紹介すると、岡山工業技術センター製品開発部産業資材研究室の測定・分析データーによると、大きさが４０ｍｍ×４０ｍｍ×８ｍｍの濃縮炭ボード（１）が24時間で１Ｌ容器内のホルムアルデヒド４８０ｐｐｍを９５％以上除去可能である。又、１５ｇの濃縮炭ボード（１）が３０分間に１Ｌ容器内のアンモニア６７０ｐｐｍを９７％除去可能である事が化学的に実証されている。
【００１９】
又、株式会社クレハ分析センターの測定・分析データーによると、φ８ｍｍのＰＩＰ−Ｔｉ，Ｒｎ光触媒ボールが２４０分で３Ｌ容器内のホルムアルデヒド１０ｐｐｍを８８％除去可能である。又、φ８ｍｍのＰＩＰ−Ｔｉ，Ｒｎ光触媒ボールが２４０分で３Ｌ容器内のアンモニア１０ｐｐｍを９９％以上除去可能である事が化学的に実証されている。
【実施例２】
【００２０】
その他の実施例として、家庭用装置以外に車両等の車載用装置であって、該車載用装置はホルムアルデヒド、トルエン、ＶＯＣ等の揮発性有害化学物質やダニや雑菌の温床となる埃、カビ、花粉及び生ゴミ臭、アンモニア臭、ペット臭等の生活臭、更に生活の中で蓄積されていく肥尿臭や加齢臭等の不快臭を吸着・除去可能な矩形状に形成した濃縮炭ボードと（１）、吸着・分解可能な複数のＰＩＰ酸化チタン密積ボール等の光触媒（２）と、濃縮炭ボード（１）と光触媒（２）を二分割収納及び取り外し可能な複数の通気穴（Ｃａ）を有する収納ケース（Ｃ）から成り、且つ、使用時は用途に応じた最適場所に設置し、且つ、有害物質除去・消臭効力を半永久的に持続する為、定期的に濃縮炭ボード（１）と光触媒（２）を収納ケース（Ｃ）から取り出し洗浄煮沸・乾燥して再使用する事を特徴とする車載用有害物質除去・消臭装置から構成される。
【００２１】
上記の車載用有害物質除去・消臭装置（車載用シックノン）は収納ケースを取り付ける場所や環境の相違から、収納ケースのデザイン及び寸法形状を若干縮小・小型化しているが、内部構造は基本的に家庭用と同一品を使用している。
【００２２】
又、車載用有害物質除去・消臭装置の取付場所は、車両の助手席側ダッシュボード上に横向きに設置すると、視界性も良く効果的で、メインテナンスも楽である。
【産業上の利用可能性】
【００２３】
この考案の有害物質除去・消臭装置は、安価で除去・消臭能力が優れ、長期的に使用可能である為、多くの一般消費者及び建築関係・自動車産業市場等に寄与する点で産業上の利用可能性を有する。
【図面の簡単な説明】
【００２４】
【図１】この考案の一実施例を示し、濃縮炭ボードの斜視図である。
【図２】この考案の一実施例を示し、（Ａ）はＰＩＰ酸化チタン密積ボールの斜視図で、（Ｂ）はａ部表面拡大詳細図である。
【図３】この考案の一実施例を示し、（Ａ）は有害物質除去・消臭装置の平面図で、（Ｂ）は正面図である。
【図４】この考案の一実施例を示し、（Ａ）は有害物質除去・消臭装置の右側面図で、（Ｂ）は左側面図で、（Ｃ）は図１（Ａ）のａ−ａ矢視断面図である。
【符号の説明】
【００２５】
１  濃縮炭ボード
２  ＰＩＰ酸化チタン密積ボール
２ａ  球状粒
Ｃ  収納ケース
Ｃａ  通気穴
【図１】
0003121352.tif 000003
【図２】
0003121352.tif 000004
【図３】
0003121352.tif 000005
【図４】
0003121352.tif 000006